(57)【要約】【課題】  通信が途絶えたとしても、集中管理を維持したまま、通信が途絶えた箇所の空調ユニットを制御可能とする空気調和管理システムを提供することを目的とする。【解決手段】  本発明の上記目的は、建物内の複数の空間の空調を管理する空調システム管理部と、空調システム管理部に接続される空調ユニット伝送変換部と、室外ユニットと協働して複数の空間のうちの或る空間の空調を行う室内ユニットであって、空調ユニット伝送変換部と信号の授受を行う入出力制御部と、室内ユニットに付属するリモコンからの信号を受信する受信部と、室内ユニットの制御を行う室内ユニット制御部と、を備えた室内ユニットと、を備えた空調ユニットであって、空調ユニット伝送変換部と入出力制御部との通信が途絶えた場合に、リモコンからの指令を受け付ける空調ユニットと、を備えることにより達成される。【選択図】図１
2008281300.tif 000002
【特許請求の範囲】
【請求項１】
建物内の複数の空間の空調を管理する空調システム管理部と、
前記空調システム管理部に接続される空調ユニット伝送変換部と、
室外ユニットと協働して前記複数の空間のうちの或る空間の空調を行う室内ユニットであって、前記空調ユニット伝送変換部と信号の授受を行う入出力制御部と、前記室内ユニットに付属するリモコンからの信号を受信する受信部と、前記室内ユニットの制御を行う室内ユニット制御部と、を備えた室内ユニットと、を備えた空調ユニットであって、前記空調ユニット伝送変換部と前記入出力制御部との通信が途絶えた場合に、前記リモコンからの指令を受け付ける空調ユニットと、
を備えた空気調和管理システム。
【請求項２】
請求項１において、
前記建物内のワンフロアを前記空調システム管理部から集中管理することを特徴とする空気調和管理システム。
【請求項３】
建物内の複数の空間の空調を管理する空調システム管理部に接続される空調ユニット伝送変換部と、
室外ユニットと協働して前記複数の空間のうちの或る空間の空調を行う室内ユニットであって、前記空調ユニット伝送変換部と信号の授受を行う入出力制御部と、前記室内ユニットに付属するリモコンからの信号を受信する受信部と、前記室内ユニットの制御を行う室内ユニット制御部と、を備えた室内ユニットと、を備えた空調ユニットであって、
前記空調ユニット伝送変換部と前記入出力制御部との通信が途絶えた場合に、前記リモコンからの指令を受け付ける空調ユニット。
【請求項４】
請求項３において、
通信を行うための前記入出力制御部への接続が外れたことで通信が途絶えたか否かを検知することを特徴とする空調ユニット。
【請求項５】
請求項３において、
前記空調システム管理部または前記空調ユニットで通信禁止状態にある場合に、通信が途絶えた判断することを特徴とする空調ユニット。
【請求項６】
請求項３において、
前記入出力制御部へ所定の期間信号が入ってこない場合に、通信が途絶えた判断することを特徴とする空調ユニット。
【発明の詳細な説明】
【技術分野】
【０００１】
本発明は、集中管理に対応した空気調和機，空気調和管理システム、およびその制御方法に関するものである。
【背景技術】
【０００２】
集中管理する必要性のあるホテル等に設置される大規模な空気調和管理装置として特許文献１が知られている。これには、集中管理を行う空気調和管理装置に異常が起きたときには、室内ユニット１ａ，９ａ等の運転状態をリモコンにより設定する設定入力を許可状態にすることが開示されている。
【０００３】
【特許文献１】特開平４−２８１１４５号公報
【発明の開示】
【発明が解決しようとする課題】
【０００４】
特許文献１において、建物の管理室にある各部屋の空調ユニットを集中管理するための空気調和管理装置（空気調和管理システム）に異常があった場合に、例えば各階毎に一括して空調ブロックを制御するという集中管理を解除することは出来る。
【０００５】
しかしながら、各部屋に配置された空調ユニットと管理室の空気調和管理システムとの通信が途絶えた場合は、通信が途絶えた部屋の空調ユニットのみの管理を解除することは出来なかった。また、各階毎に一括して空調ブロックを制御するという集中管理において、当該階（当該フロア）の一部屋で通信が途絶えた場合は、その一部屋の空調ユニットを制御することが出来なかった。
【０００６】
従って、通信が途絶えてしまうと、その通信が途絶えた一部屋を含む或る範囲の空調ユニットの制御が解除されてしまう。つまり、通信が途絶えた部屋が生じると、全ての空調ユニットを集中管理しようとしても上記のように管理（制御）できない部屋の空調ユニットが存在してしまう。またその際に、リモコンにより設定する設定入力が管理部によって禁止のままにされると、リモコンによって部屋の空調ユニットの運転状態を設定・変更することが出来ず、制御が不可能となってしまう。
【０００７】
そこで、本発明は、通信が途絶えたとしても、集中管理を維持したまま、通信が途絶えた箇所の空調ユニットを制御可能とする空気調和管理システムを提供することを目的とする。また、そのための空調ユニットを提供することを目的とする。
【課題を解決するための手段】
【０００８】
本発明の上記目的は、
建物内の複数の空間の空調を管理する空調システム管理部と、
前記空調システム管理部に接続される空調ユニット伝送変換部と、
室外ユニットと協働して前記複数の空間のうちの或る空間の空調を行う室内ユニットであって、前記空調ユニット伝送変換部と信号の授受を行う入出力制御部と、前記室内ユニットに付属するリモコンからの信号を受信する受信部と、前記室内ユニットの制御を行う室内ユニット制御部と、を備えた室内ユニットと、を備えた空調ユニットであって、前記空調ユニット伝送変換部と前記入出力制御部との通信が途絶えた場合に、前記リモコンからの指令を受け付ける空調ユニットと、を備えることにより達成される。
【０００９】
また、本発明の上記目的は、
建物内の複数の空間の空調を管理する空調システム管理部に接続される空調ユニット伝送変換部と、
室外ユニットと協働して前記複数の空間のうちの或る空間の空調を行う室内ユニットであって、前記空調ユニット伝送変換部と信号の授受を行う入出力制御部と、前記室内ユニットに付属するリモコンからの信号を受信する受信部と、前記室内ユニットの制御を行う室内ユニット制御部と、を備えた室内ユニットと、を備えた空調ユニットであって、
前記空調ユニット伝送変換部と前記入出力制御部との通信が途絶えた場合に、前記リモコンからの指令を受け付けることにより達成される。
【発明の効果】
【００１０】
本発明によれば、通信が途絶えたとしても、集中管理を維持したまま、通信が途絶えた箇所の空調ユニットを制御可能とする空気調和管理システムを実現することができる。また、そのための空調ユニットを実現することができる。
【発明を実施するための最良の形態】
【００１１】
以下に本発明を実施するための最良の形態について説明する。
【実施例１】
【００１２】
図１は空気調和管理システム１０００の全体構成を示すブロック図である。内容を理解しやすいように、図における、全体構成をホテルとする。空調システム管理部Ｚは、このホテル内の全ての客室の空調を管理する管理部であって、ホテルの管理室等に配設されている。この空調システム管理部Ｚと各空調ブロック（Ａ，Ｂ，・・・）とが空調ブロック伝送路Ｙで繋がれている。空調システム管理部Ｚは、空調ブロック伝送路Ｙに接続された各フロアの空調ブロックＡ，空調ブロックＢ等、または、各空調ブロック内の各客室の空調ユニット（１０Ａ，２０Ａ，１００Ｂ，２００Ｂ等）を一ヶ所で制御するものである。
【００１３】
空調ブロックＡは、空調ユニット１０Ａ，空調ユニット２０Ａ、図示しない他の空調ユニットで構成されるホテルの或るフロアを表しており、同様に空調ブロックＢは、空調ユニット１００Ｂ，空調ユニット２００Ｂ、図示しない他の空調ユニットで構成される別の或るフロアを表している。
【００１４】
空調ユニット１０Ａは、ホテルの一室の空調ユニットである。この空調ユニット１０Ａは、室内ユニット１０ａ，室外ユニット１０ｂ，室内ユニット１０ａに付属するリモコン１０ｃ，空調システム管理部Ｚとの情報の伝送変換を行う空調ユニット伝送変換部１０ｄを有している。リモコン１０ｃは、室内ユニット１０ａの設定（風量である設定風速や、室温である設定温度等）を入力する設定入力手段として機能する。空調ユニット伝送変換部１０ｄから室内ユニット１０ａへは、設定温度，設定風速，運転モード等の室内ユニット１０ａの状態を確認するコードが定期的に送信されている。従って、室内ユニット１０ａから空調ユニット伝送変換部１０ｄへは、そのコードに対する返信が定期的に送信されている。
【００１５】
空調ユニット２０Ａは、空調ユニット１０と同様に室内ユニット２０ａ，室外ユニット２０ｂ，室内ユニット２０ａに付属するリモコン２０ｃ，空調ユニット伝送変換部２０ｄを有しており、空調ユニット１０Ａとは異なる一室に設置されている。空調ユニット伝送変換部２０ｄから室内ユニット２０ａへは、設定温度，設定風速，運転モード等の室内ユニット２０ａの状態を確認するコードが定期的に送信されている。従って、室内ユニット１０ａから空調ユニット伝送変換部１０ｄへは、そのコードに対する返信が定期的に送信されている。
【００１６】
以下、同様に空調ユニット１００Ａ，１００Ｂ等も構成されている。なお、空調システム管理部Ｚは、全ての客室の空調を管理することとせず、ＶＩＰルームや管理室は別の空調制御を行うようにしても良い。
【００１７】
図２は一室に配設された空気調和機の全体構成を示すブロック図である。１は空調ユニット伝送変換部であり、図１に示す１０ｄ，１００ｄ等に相当する。空調ユニット伝送変換部１は空調ユニットと空調システム管理部Ｚとの通信コードの変換を行う。２は空調ユニット伝送変換部１との通信を行い、信号の授受を行うための入出力制御部。３は空調ユニット（図１の１０Ａ等）の運転状態を操作するリモコン、４はリモコン３からの指令を受ける受信部、５は送風ファンを駆動するモータ等のアクチュエータ、６は室内ユニット制御部９で使用するデータを保存する不揮発性メモリ、７は室外ユニット、８は室外ユニット７との間で情報の授受を行うための入出力制御部、９は室内ユニット制御部、１１は室内ユニットである。以上の通り、室内ユニット１１は入出力制御部２，受信部４，アクチュエータ５，不揮発性メモリ６，入出力制御部８，室内ユニット制御部９を備えている。なお、室内ユニット制御部９は入出力制御部２，受信部４，入出力制御部８，不揮発性メモリ６から様々な情報を受け、アクチュエータ５を制御する。
【００１８】
空調システム管理部Ｚから、必要に応じてフロアや客室が指定され、運転開始の指令が出された場合、空調ユニット伝送変換部１から運転開始指令が入出力制御部２へ送信され、入出力制御部２で受信した設定を室内ユニット制御部９へ送る。室内ユニット制御部９は、送られてきた情報に基づいて、アクチュエータ５や室外ユニット７を制御する。
【００１９】
室外ユニット７を運転する場合は、入出力制御部８を通じて運転開始指令を室外ユニット７へ送信し、それにより室外ユニット７は運転を開始する。客室からリモコン３により運転開始指令を送った場合、受信部４で運転開始指令を受信し、受信した運転開始指令、すなわち設定入力を室内ユニット制御部９へ送る。室内ユニット制御部では、送られてきた設定入力に基づいて、アクチュエータ５や室外ユニット７を制御する。なお、ここでいう設定入力とは、どのように空調を行うかの内容であるので、設定内容であるといえる。
【００２０】
ここで、上記構成の本実施例の空気調和管理システム１０００による空調ユニットの通常の動作について説明する。
【００２１】
図３は空調システム管理部Ｚ、または、リモコン３から主動作があった場合の空調ユニットの動作を示すフローチャートである。この制御は、図２に示す室内ユニット制御部９で行われる。
【００２２】
ステップＳ３１で、或る客室の空調ユニット（例えば１０Ａ）の電源がオン状態になることにより、ステップＳ３２と進む。電源がオン状態となるのは、コンセントを繋いでスイッチを入れたときのオン状態のことであり、空調システム管理部Ｚから、または、リモコン３からの指令に関わらず、電流が空調ユニットに流れた場合を電源オン状態とするものである。
【００２３】
ステップＳ３２では、空調システム管理部Ｚとの通信が有るか否かを判断するため、空調システム管理部Ｚからの入力を待つ。所定の期間、空調システム管理部Ｚからの入力が得られない場合には、通信が途絶えたと判断し、ステップＳ３３でリモコン３から運転状態を設定する設定入力を許可とし、再びステップＳ３２に戻り、通信が有るか否か判断しながら、入力待ち状態となる。すると、図２の空調ユニット伝送変換部１から入出力制御部２への通信が途絶えた場合であっても、リモコン３から空調ユニットを制御することが可能となる。
【００２４】
なお、通信が途絶えたとの判断は、空調システム管理部または空調ユニットで通信禁止状態にあるか否かや、入出力制御部２の接続が外れたか否か、断線があるか否かによっても行うこととする。
【００２５】
これにより、通信異常があって、管理者が異常に気付いて修理を行うまでの間であっても、客室の空調が可能となる。つまり、設定温度の変更等が不可能となっていた従来技術に対して、各客室での空調が可能となる。例えば、宿泊者が客室の設定温度を上げたいと思ったときに、宿泊者が客室に置いてある室内ユニットに付属のリモコンで客室の温度を変更することが可能となり、宿泊者の使い勝手を優先することが出来る。
【００２６】
ステップＳ３２で、空調システム管理部Ｚから通信が有る場合には、ステップＳ３４に進む。
【００２７】
ステップＳ３４では、空調システム管理部Ｚまたはリモコン３から運転モード，設定温度，設定風速等の設定入力があるか否かを判断する。ステップＳ３４で設定入力が無い場合には、再びＳ３２に戻る。運転モード，設定温度，設定風速等の設定入力が有る場合には、ステップＳ３５に進む。
【００２８】
ステップＳ３５では、設定入力許可状態か否かを判断する。管理人は、空調システム管理部Ｚから設定入力許可，設定入力禁止の設定を行うことが可能である。設定入力禁止を設定された客室（或いはフロア）は、空調ユニット（例えば１０Ａ）をリモコン（例えば１０ｃ）により操作することが出来なくなる。これにより、或るフロアの空調ブロック全てを設定入力禁止と設定することでワンフロアの一括制御も可能となる。ステップＳ３５で、設定入力許可状態でない場合にはステップＳ３２に戻る。ステップＳ３５で、設定入力許可状態の場合は、ステップＳ３６で設定入力に応じた制御を行い、この後、再びステップＳ３２に戻る。その際のＳ３６での制御内容は図４，図５を用いて説明する。
【００２９】
図４は空気調和管理システム１０００において、空調システム管理部Ｚから空調ユニット（例えば１０Ａ，２０Ａ等）へ設定入力が入力され、Ｓ３６における、設定入力に応じた制御を行う場合の空調ユニットの動作を示すフローチャートである。この制御は、図２の空調ユニット伝送変換部１から入出力制御部２へ入力された設定入力が、室内ユニット制御部９で制御される内容となる。客室にある空調ユニット（例えば１０Ａ，２０Ａ等）に対して管理室、つまり空調システム管理部Ｚからは、運転モード，設定温度，設定風速，設定湿度，リモコン状態，フィルタリセット，運転状態の設定を行うことができ、空調ユニット（例えば１０Ａ，２０Ａ等）にはこれらの内容が１つずつ順番に入力，設定される。つまり、設定入力は上記の内容の各一つということになる。また、運転の開始，停止はＳ４７で決定される。
【００３０】
ステップＳ４１で、空調ユニット（例えば１０Ａ，２０Ａ等）は、入力された設定が冷房，暖房，除湿等の運転モードか否か判断する。ステップＳ４１で入力された設定が冷房，暖房，除湿等の運転モードの場合、入力された運転モードを設定する。これにより、客室の空調ユニットに対して、一括してワンフロア全ての運転モードを設定することも出来る。ステップＳ４１で入力された設定が冷房，暖房，除湿等の運転モードでない場合は、ステップＳ４２に進む。
【００３１】
ステップＳ４２では、入力された設定が設定温度か否か判断する。ステップＳ４２で入力された設定が設定温度の場合、入力された設定温度を設定する。これにより、客室の空調ユニットに対して、一括してワンフロア全ての設定温度を管理室から設定することも出来る。ステップＳ４２で入力された設定が設定温度でない場合は、ステップＳ４３に進む。
【００３２】
ステップＳ４３では、入力された設定が設定風速か否か判断する。ステップＳ４３で入力された設定が設定風速の場合、入力された設定風速を設定する。これにより、客室の空調ユニットに対して、一括してワンフロア全ての設定風速を管理室から設定することも出来る。ステップＳ４３で入力された設定が設定風速でない場合は、ステップＳ４４に進む。
【００３３】
ステップＳ４４では、入力された設定が設定湿度か否か判断する。ステップＳ４４で入力された設定が設定湿度の場合、入力された設定湿度を設定する。これにより、客室の空調ユニットに対して、一括してワンフロア全ての設定湿度を管理室から設定することも出来る。ステップＳ４４で入力された設定が設定湿度でない場合は、ステップＳ４５に進む。
【００３４】
ステップＳ４５では、入力された設定がリモコン状態か否か判断する。リモコン状態とは、リモコン入力が許可された状態（リモコン入力許可）であるか、禁止された状態（リモコン入力禁止）であるかの何れかである。これは、空調システム管理部Ｚから設定することができる。リモコン入力禁止が設定された客室は、空調ユニットをリモコン３で操作することが出来なくなる。なお、このようにリモコン入力禁止が設定されてしまうと、図３のステップＳ３５でリモコン操作を行った場合であっても、設定入力許可状態ではないためステップＳ３２に戻り、リモコン３からの入力に応じた制御は行われないこととなる。
【００３５】
ステップＳ４５で入力された設定がリモコン状態の場合、入力されたリモコン状態を設定する。これにより、客室の空調ユニットに対して、一括してワンフロア全てのリモコン状態を禁止とするか許可とするかを管理室から設定することも出来る。ステップＳ４５で入力された設定がリモコン状態でない場合は、ステップＳ４６に進む。
【００３６】
ステップＳ４６では、入力された設定がフィルタリセットか否か判断する。空調ユニットは、ある一定期間フィルタ掃除を行わず時間が経過したかどうかの清掃時間を管理するフィルタ情報があり、空調ユニットにあるフィルタランプを点灯したり、空調システム管理部にフィルタサインを点灯することで管理人（つまり、空調システム管理部Ｚ）にフィルタの清掃情報を知らせる。フィルタ掃除を行った後は、フィルタリセットによりフィルタ情報をクリアして清掃時間を再計算する。ステップＳ４６で入力された設定がフィルタリセットの場合、フィルタリセットを行う。これにより、客室の空調ユニットに対して、一括してワンフロア全てのフィルタ情報を管理室からリセットすることも出来る。ステップＳ４６で入力された設定がフィルタリセットでない場合は、ステップＳ４７に進む。
【００３７】
ステップＳ４７では、入力された設定が運転状態か否か判断する。ステップＳ４７で入力された設定が運転状態情報の場合、入力された運転状態を設定する。これにより、客室の空調ユニットに対して、一括してワンフロア全ての運転（運転開始）または停止（運転停止）を空調システム管理部Ｚから設定することも出来る。ステップＳ４７で入力された設定が運転状態でない場合はフローチャートを終了する。
【００３８】
なお、Ｓ４７においてもＮＯの場合を想定している。これは、空調システム管理部Ｚ以外の他の上位システムと接続した場合やノイズ等で、設定可能範囲外、つまりＳ４１からＳ４７までの判定以外のコマンドが設定された場合のことである。このとき、Ｓ４７でＮＯであれば、図４のフローチャートを終了する。
【００３９】
そして、空調システム管理部Ｚから空調ユニットへ設定入力が入力され、設定入力に応じた制御をＳ３６で行うと、再度ステップＳ３２の判定から行う。
【００４０】
以上のフローチャートを具体例で追ってみると次のようになる。例えば、運転停止中の空調システムについて、現在の設定温度が冷房運転２０度であるところを２２度に変更して、空調システム管理部Ｚから運転開始する場合については、先ず温度を上げる信号を２回送信し（温度の幅が１度刻みで設定可能な場合）、その後、運転開始信号を送信することになる。
【００４１】
これは、Ｓ３１→Ｓ３２→Ｓ３４→Ｓ３５→Ｓ３６→Ｓ４１→Ｓ４２（１度上げ）→（終了）→Ｓ３２→Ｓ３４→Ｓ３５→Ｓ３６→Ｓ４１→Ｓ４２（１度上げ）→（終了）→Ｓ３２→Ｓ３４→Ｓ３５→Ｓ３６→Ｓ４１→Ｓ４２→Ｓ４３→Ｓ４４→Ｓ４５→Ｓ４６→Ｓ４７（運転開始）→（終了）という順番で制御が行われる。
【００４２】
運転開始後に２度上げるとすると、Ｓ３１→Ｓ３２→Ｓ３４→Ｓ３５→Ｓ３６→Ｓ４１→Ｓ４２→Ｓ４３→Ｓ４４→Ｓ４５→Ｓ４６→Ｓ４７（運転開始）→（終了）→Ｓ３２→Ｓ３４→Ｓ３５→Ｓ３６→Ｓ４１→Ｓ４２（１度上げ）→（終了）→Ｓ３２→Ｓ３４→Ｓ３５→Ｓ３６→Ｓ４１→Ｓ４２（１度上げ）→（終了）という順番で制御が行われる。
【００４３】
図５は、空気調和管理システム１０００において、室内ユニット１１付属のリモコン３から空調ユニット（例えば１０Ａ）へ設定入力が入力され、Ｓ３６における、設定入力に応じた制御を行った場合の空調ユニットの動作を示すフローチャートである。この制御は、図２のリモコン３から受信部４へ入力された設定が、室内ユニット制御部９で制御される内容となる。客室にある空調ユニット（例えば１０Ａ）に対してリモコン３からは、運転状態，運転モード，設定温度，設定風速，設定湿度，タイマ予約等のオプション設定を全て１回で設定する。この点で空調システム管理部Ｚから行う空調ユニット（例えば１０Ａ）の制御とは異なる。なお、ステップＳ３５で、設定入力許可状態となっていることが必要である。
【００４４】
ステップＳ５１ではリモコンから入力された運転状態（運転，停止）を設定し、ステップＳ５２に進む。
【００４５】
ステップＳ５２では、リモコンから入力された暖房，冷房，除湿等の運転モードを設定し、ステップＳ５３に進む。
【００４６】
ステップＳ５３では、リモコンから入力された設定温度を設定し、ステップＳ５４に進む。
【００４７】
ステップＳ５４では、リモコンから入力された設定風速を設定し、ステップＳ５５に進む。
【００４８】
ステップＳ５５では、リモコンから入力された設定湿度を設定し、ステップＳ５６に進む。
【００４９】
ステップＳ５６では、タイマ予約等のオプションを設定し、フローチャートを終了する。
【００５０】
このように、室内ユニット（例えば１０ａ）付属のリモコン３から空調ユニット（例えば１０Ａ）へ設定入力が入力され、設定入力に応じた制御を行う。その後、再度Ｓ３２に戻り、Ｓ３４→Ｓ３２→Ｓ３４→・・・となり、次にリモコン３等から設定入力があるまで同じ運転状態が継続される。
【００５１】
図６は空気調和管理システム１０００において、空調システム管理部と空調ユニットの通信コードの変換を行う空調ユニット伝送変換部の動作を示すフローチャートである。
【００５２】
この制御は、図２の空調ユニット伝送変換部１で行われる。
【００５３】
ステップＳ６１では、図３のステップＳ３１の電源がオン状態になることにより、空調ユニット伝送変換部１の電源もオン状態となる。そしてステップＳ６２に進む。
【００５４】
ステップＳ６２では、空調システム管理部または空調ユニットからの通信入力待ち状態となる。
【００５５】
ステップＳ６３では、入力された情報が空調システム管理部Ｚからの設定があるか否かを判断する。なお、その設定は入力設定であり、つまり、運転モード，設定温度，設定風速等の設定内容である。運転モード，設定温度，設定風速等の設定がある場合は、ステップＳ６４へ進み、入力された設定を空調ユニットへの設定コードに変換してセットする。この後、ステップＳ６９で空調ユニット伝送変換部１から室内ユニット１１へコードを送信して、ステップＳ６２の通信入力待ち状態に戻る。これにより、空調ユニット（例えば１０Ａ）は空調システム管理部Ｚから設定された運転モード，設定温度，設定風速等に基づいて動作する。
【００５６】
ステップＳ６５は、ステップＳ６３で空調システム管理部から、運転モード，設定温度，設定風速等の設定がない場合に進むステップである。ステップＳ６５は、空調ユニット（例えば１０Ａ）から応答があるか否かを判断する。ここで空調ユニット（例えば１０Ａ）は、ステップＳ６３で空調システム管理部Ｚから、運転モード，設定温度，設定風速等の設定があり空調ユニットが正しく設定出来たかどうか、または現在空調ユニットの運転モード，設定温度，設定風速等の状態（ステップＳ６８に対する応答）を応答する。応答がある場合は、ステップＳ６６へ進み、空調ユニット（例えば１０Ａ）からの応答を空調システム管理部Ｚへの応答コードに変換してセットする。この後、ステップＳ６９で空調ユニット伝送変換部から空調システム管理部Ｚへコードを送信して、ステップＳ６２の通信入力待ち状態に戻る。
【００５７】
これにより、空調システム管理部Ｚは空調ユニット（例えば１０Ａ）が正しく動作しているか判断することができる。なお、空調システム管理部Ｚは液晶表示手段を有しており、この液晶表示手段に、応答のあった空調ユニットの状態を表示する。
【００５８】
ここで、空調システム管理部Ｚから或る客室に在る空調ユニットへの通信が途絶えた場合、一定期間以上応答コードが管理室の空調システム管理部Ｚへは送信されないため、管理室の空調システム管理部は通信が途絶えたことを検知してエラー表示を行い、ホテルの管理人は或る客室の通信が途絶えたことを知ることが出来る。ステップＳ６５で空調ユニットからの応答がない場合は、ステップＳ６７に進む。
【００５９】
ステップＳ６７では、空調ユニット状態確認時間が経過しているか否かを判断する。これは、空調ユニットの運転モード，設定温度，設定風速等の状態を確認するために空調ユニット伝送変換部から空調ユニットへ定期的に行っており、定期的に行っている時間を空調ユニット状態確認時間としている。ステップＳ６７で空調ユニット状態確認時間が経過している場合は、ステップＳ６８へ進み、空調ユニットへの確認コードをセットする。この後、ステップＳ６９で空調ユニット伝送変換部１から空調ユニットへコードを送信して、ステップＳ６２の通信入力待ち状態に戻る。これにより、空調ユニットは現在の運転モード，設定温度，設定風速等の状態を空調ユニット伝送変換部１へ応答し、空調システム管理部Ｚはその応答コードにより、空調システム管理部Ｚの液晶表示手段への表示を空調ユニットから応答された状態に変更して表示する。ステップＳ６７で空調ユニット状態確認時間が経過していない場合は、ステップＳ６２の通信入力待ち状態に戻る。
【００６０】
以上の実施例はホテルの客室の空調を想定しているが、他には例えばオフィスビルの空調等に適用することも考えられる。その場合は図１の空調ユニット１０Ａが会議室、空調ユニット２０Ａが空調ユニット１０Ａと異なる会議室等となり、空調ブロックＡがワンフロア、空調ブロックＢがそれとは異なるワンフロアとなる。また、本実施例においては除湿機能付きの空気調和機を用いて説明したが、除湿機能は必ずしも必要ではない。
【００６１】
以上、空調ユニット伝送変換部と室内ユニットとの間の通信が途絶えた場合でも、室内ユニットで異常を判断することで、室内ユニットが集中制御を解除して、リモコンからの受信を可能とする。これによって、通信が途絶えた空調ユニットのみの集中制御の解除が可能となる。従って、なるべく広い範囲で集中管理を維持したまま、通信が途絶えた箇所のみの、最小限の範囲内で個別に空調ユニットを制御することができる。通信が途絶えても宿泊客に迷惑をかけることなくホテル内の空調を実現することができ、管理人，宿泊客の双方ともに満足度の高い空気調和管理システムを実現することができる。
【図面の簡単な説明】
【００６２】
【図１】空気調和管理システムの全体構成を示すブロック図。
【図２】一室に配設された空気調和機の全体構成を示すブロック図。
【図３】空調システム管理部Ｚまたはリモコン３から主動作があった場合の空調ユニットの動作を示すフローチャート。
【図４】空調システム管理部から空調ユニットへ設定入力がなされた場合の空調ユニットの動作を示すフローチャート。
【図５】リモコンから空調ユニットへ設定入力が入力された場合の空調ユニットの動作を示すフローチャート。
【図６】空調システム管理部と空調ユニットの通信コードの変換を行う空調ユニット伝送変換部の動作を示すフローチャート。
【符号の説明】
【００６３】
１，１０ｄ，２０ｄ，１００ｄ，２００ｄ  空調ユニット伝送変換部
２，８  入出力制御部
３，１０ｃ，２０ｃ，１００ｃ，２００ｃ  室内ユニット付属のリモコン
４  受信部
５  アクチュエータ
６  不揮発性メモリ
７，１０ｂ，２０ｂ，１００ｂ，２００ｂ  室外ユニット
９  室内ユニット制御部（ＣＰＵ）
１０Ａ，２０Ａ，１００Ｂ，２００Ｂ  空調ユニット
１０ａ，１１，２０ａ，１００ａ，２００ａ  室内ユニット
Ａ，Ｂ  空調ブロック
Ｙ  空調ブロック伝送路
Ｚ  空調システム管理部
【図１】
2008281300.tif 000003
【図２】
2008281300.tif 000004
【図３】
2008281300.tif 000005
【図４】
2008281300.tif 000006
【図５】
2008281300.tif 000007
【図６】
2008281300.tif 000008